(57)【要約】【課題】本発明は、換気送風機、例えば、携帯基地局等の機器冷却に用いられる熱交換型冷却機に使用されるブラシレスＤＣモータの広角通電の制御装置に係り、位置センサを用いることなくセンサレス制御によりモータ電流の転流タイミングを好適に制御するとともに回転子の磁極位置を推定しながら過電流保護制御を行うブラシレスＤＣモータの制御装置を実現する。【解決手段】直流電源５からインバータ回路１に供給される電流値があらかじめ定められた電流しきい値を越えないようにモータに印加される電圧を制御するブラシレスＤＣモータ２の制御装置１３としたものである。【選択図】図１
2007306754.tif 000002
【特許請求の範囲】
【請求項１】
直流電源に複数のスイッチング素子をブリッジ接続してなるインバータ回路を介して接続された回転子と固定子巻線を有するブラシレスＤＣモータを前記インバータ回路のスイッチング素子をオン・オフさせ、オンの期間を電気角で１２０度以上長くして通電重なり期間を設けて広角通電で回転させる制御装置において、位相推定と電流制限を両立させるようにすることを特徴とするブラシレスＤＣモータの制御装置。
【請求項２】
直流電源に複数のスイッチング素子をブリッジ接続してなるインバータ回路を介して接続された回転子と固定子巻線を有するブラシレスＤＣモータを前記インバータ回路のスイッチング素子をオン・オフさせ、オンの期間を電気角で１２０度以上長くして通電重なり期間を設けて広角通電で回転させる制御装置において、前記直流電源からインバータ回路に供給される電流を検出する電流検出抵抗と、前記電流検出抵抗より出力される電流値により得られた電流波形に基づいてあらかじめ記憶された前記ブラシレスＤＣモータの前記固定子巻線に誘起される誘起電圧に対する前記固定子巻線に印加する電圧との位相を推定する位相推定手段と、前記位相推定手段によって推定した位相があらかじめ定められた目標位相に追従するように転流タイミングを決定する転流タイミング決定手段と、前記電流検出抵抗より出力された電流値があらかじめ定められた電流制限値を越えないようにモータに印加される電圧を制御する電流制限手段を有することを特徴とするブラシレスＤＣモータの制御装置。
【請求項３】
位相推定手段は、前記電流検出抵抗より出力される電流値により得られる電流波形において、前記通電重なり期間ではない通電の重ならない期間にあらかじめ定められた第１および第２のタイミングにおける電流値の比を電流変化率として算出し、電流変化率と固定子巻線に印加する電圧との位相の相関曲線をあらかじめ記憶したことを特徴とする請求項１または２記載のブラシレスＤＣモータの制御装置。
【請求項４】
電流制限手段は、あらかじめ定められたしきい値に対して、インバータ回路に流れる電流が大きい場合、その差に応じて、モータに印加される電圧を下げる変化量を変更することを特徴とする請求項１乃至３のいずれかに記載のブラシレスＤＣモータの制御装置。
【請求項５】
電流制限手段は、あらかじめ定められた第１のしきい値に対して、インバータ回路に流れる電流の最大値により制御を行うことを特徴とする請求項１及至４のいずれかに記載のブラシレスＤＣモータの制御装置。
【請求項６】
電流制限手段は、あらかじめ定められた第１のしきい値に対して、インバータ回路に流れる電流の平均値により制御を行うことを特徴とする請求項１及至４のいずれかに記載のブラシレスＤＣモータの制御装置。
【請求項７】
電流制限手段は、あらかじめ定められた第１のしきい値に対して、起動時は、インバータ回路に流れる電流の最大値により制御を行い、運転時は、電流の平均値により制御を行うことを特徴とする請求項１及至４のいずれかに記載のブラシレスＤＣモータの制御装置。
【請求項８】
電流制限手段は、あらかじめ定められた第１のしきい値に対して、運転時はインバータ回路に流れる電流の平均値により制御を行い、あらかじめ定められた第１のしきい値を越えた時は、電流の最大値により制御を行うことを特徴とする請求項１及至４のいずれかに記載のブラシレスＤＣモータの制御装置。
【請求項９】
電流制限手段は、あらかじめ定められた第１のしきい値よりも大きな第２のしきい値を設け、インバータ回路に流れる電流が第２のしきい値を越えた場合は、電流をシャットダウンして第２のしきい値以上電流が大きくならないように制御することを特徴とする請求項５及至８のいずれかに記載のブラシレスＤＣモータの制御装置。
【請求項１０】
電流制限手段は、あらかじめ定められた第１のしきい値よりも大きな第２のしきい値を設け、インバータ回路に流れる電流が第２のしきい値を越えた場合は、電流をシャットダウンして第２のしきい値以上電流が大きくならないように制御すると共に、モータに印加される電圧を下げる変化量をあらかじめ定められた第１のしきい値で変更する値より大きく変更することを特徴とする請求項５及至９のいずれかに記載のブラシレスＤＣモータの制御装置。
【請求項１１】
電流制限手段は、あらかじめ定められた第１のしきい値よりも大きな第２のしきい値を設け、インバータ回路に流れる電流が第２のしきい値を越えた場合、そのタイミングが予め定められたタイミングより早い場合は、モータを停止させることを特徴とする請求項５乃至１０のいずれかに記載のブラシレスＤＣモータの制御装置。
【請求項１２】
電流制限手段は、あらかじめ定められた第１のしきい値よりも大きな第２のしきい値を設け、位相を推定する期間において、インバータ回路に流れる電流が第２のしきい値を超えた場合、モータを停止させることを特徴とする請求項５乃至１１のいずれかに記載のブラシレスＤＣモータの制御装置。
【請求項１３】
請求項１及至１２のいずれかに記載のブラシレスＤＣモータの制御装置を搭載した換気送風機。
【発明の詳細な説明】
【技術分野】
【０００１】
換気送風機、例えば、携帯基地局等の機器冷却に用いられる熱交換型冷却機に使用されるブラシレスＤＣモータの制御装置に係り、矩形波の通電期間を長くして通電重なり期間を設けた広角通電で回転させる制御装置において、位置センサを用いることなくセンサレス制御によりモータ電流の転流タイミングを制御する共に、モータ電流の大きさを制限し、過電流による磁石の減磁等のない保護制御に関するものである。
【背景技術】
【０００２】
従来、この種の換気送風機は、２４時間３６５日の連続換気と、換気量の調節のため、効率が高く、回転数が連続的に変更できるブラシレスＤＣモータが採用されている。また、換気送風機やブラシレスＤＣモータの低コスト化、小型化、高信頼性が求められている。
【０００３】
例えば、具体的に熱交換型冷却機では、発熱体収納箱内の空気を取込んだ後、熱交換素子内を通過させて熱交換させ、再び発熱体収納箱内に戻し循環させる内気風路と、外気を取込み、熱交換素子内を通過させて熱交換させた後、再び外気に排出する外気風路を有しこれら両風路は仕切板にて独立しており、それぞれの風路内には、それぞれの空気を搬送する送風機が設置されたものが知られている（例えば、特許文献１参照）。
【０００４】
通常このような構成の熱交換型冷却機は、携帯基地局等の冷却に使用され、携帯基地局本体側から、熱交換型冷却機に直流の低圧電源が供給され、ブラシレスＤＣモータを搭載した送風機等を駆動している。
【０００５】
以下、その熱交換型冷却機の動作について、図１５を参照しながら説明する。
【０００６】
図に示すように、発熱体収納箱１０１内の熱せられた空気（以下、これを内気と称する）は熱交換型冷却機１０２の内気吸込口１０３より、室内側ブラシレスＤＣモータ１０４を搭載した室内側送風機１０５によって吸込まれ、熱交換素子１０６を通過したのち、内気吐出口１０７より発熱体収納箱１０１内に戻る循環風路を循環している。一方、室外側ブラシレスＤＣモータ１０８を搭載した室外側送風機１０９によって、外気吸込口１１０より吸込まれた外気は、熱交換素子１０６を通過したのち、外気吹出口１１１より、外気に再度排出されている。内気風路と外気風路は仕切板１１２によって両風路が独立するよう略気密状態に仕切られ、また内気風路と外気風路の交点には外気と内気の顕熱を交換する熱交換素子１０６が配置されている。上記構成により、熱交換型冷却機１０２は、低温外気を取り入れ、発熱体収納箱１０１内部の暖かい空気との間で熱交換素子１０６にて熱交換をおこない、暖かくなった外気は排気し、冷たくなった空気を箱内に給気する。
【０００７】
また、室内側ブラシレスＤＣモータ１０４および室外側ブラシレスＤＣモータ１０８は、通常ホール素子等の磁極センサを内蔵したブラシレスＤＣモータを使用し、そのブラシレスＤＣモータを駆動する制御装置１１３は、基地局を設置する場所の低温外気や粉塵の影響を受けないように、熱交換型冷却機１０２の内気風路内に設置され、外気にさらされる室外側ブラシレスＤＣモータ１０８とは、長い中継の動力リード線１１４とセンサ信号リード線１１５とで接続されている。制御装置１１３には、発熱体収納箱１０１内等に設置された低圧の直流電源１１６より、駆動電力が供給されている。
【０００８】
また、ブラシレスＤＣモータのセンサレス制御は、モータ駆動中の固定子巻線に誘起される誘起電圧と界磁との相関に着目して、誘起電圧に基づいてモータの転流タイミングを決定する制御方式や直流電源からインバータ回路に供給される電流値の時間に対する変化率に基づいて回転子の磁極位置を推定することによって、モータの転流タイミングを決定するセンサレス制御方式が知られている（例えば、特許文献２参照）。
【０００９】
以下、そのブラシレスＤＣモータの制御装置の動作について、図１６を参照しながら説明する。
【００１０】
図１６に示すように、インバータ回路１１７は３相インバータブリッジの構成であり、Ｑ１，Ｑ２，Ｑ３はそれぞれＵ，Ｖ，Ｗ相の上アームスイッチング素子であり、同様にＱ４，Ｑ５，Ｑ６はそれぞれＵ，Ｖ，Ｗ相の下アームスイッチング素子である。各スイッチング素子には、それぞれ並列に還流ダイオードＤ１，Ｄ２，Ｄ３，Ｄ４，Ｄ５，Ｄ６を接続する。ブラシレスＤＣモータ１１８は回転子１１９と固定子１２０から構成され、固定子１２０には電気角で１２０度の位相差を持つように固定子巻線Ｌ１，Ｌ２，Ｌ３が配置される。直流電源１１６とスイッチング素子の間には、図示するように直流電源１１６より供給されるブラシレスＤＣモータの電流値を検出する電流検出抵抗１２１を配置する。電流検出抵抗１２１の端子間電圧をマイクロコンピュータ１２２に内蔵されているＡ／Ｄ変換器１２３に入力する。演算器１２４はＡ／Ｄ変換器１２３でデジタル化した電流値を参照してモータ電流の相転流タイミングを計算し、インバータを制御するスイッチング信号、Ｕ＋，Ｖ＋，Ｗ＋，Ｕ−，Ｖ−，Ｗ−を出力する。ドライブ回路１２５は演算器１２４から出力されるスイッチング信号に基づいて、スイッチング素子Ｑ１，Ｑ２，Ｑ３，Ｑ４，Ｑ５，Ｑ６をそれぞれ１２０度毎に通電して駆動されている。
【００１１】
直流電源１１６から出力される電流の時間に対する変化率の極性を検出し、この極性が変化した時刻、つまり、電流が極小になった時刻に基づいて回転子の磁極位置を推定し、該検出信号に基づいて極性の反転時刻を計測し、該時刻から回転子の磁極位置の推定を行い、転流タイミングを得るものである。
【００１２】
また、ブラシレスＤＣモータの過電流保護は、直流電源からインバータ回路に供給される電流を検出する電流検出抵抗を設け、電流検出抵抗の端子間電圧と基準電圧をコンパレータにより検出し、電流が電流しきい値よりも大きい時はスイッチング素子をオフして電流が電流しきい値をこえないように制御を行う制御方式が知られている（例えば、特許文献３参照）。
【００１３】
以下、そのブラシレスＤＣモータの過電流保護の動作について、図１７を参照しながら説明する。
【００１４】
図１７に示すように、直流電源からインバータ回路に供給される電流を検出する電流検出抵抗の端子間電圧と電流しきい値すなわち基準電圧を示す。電流検出抵抗の両端電圧と基準電圧をコンパレータで比較を行い、基準電圧を越えた時はスイッチング素子をオフし、モータ電流の増加を押さえ、モータ電流を減少させるように制御を行い、過電流保護を行うものである。
【特許文献１】特開２００１−１５６４７８号公報
【特許文献２】特開平８−１２６３７９号公報
【特許文献３】特開平６−３５１２８５号公報
【発明の開示】
【発明が解決しようとする課題】
【００１５】
このような従来の構成では、ブラシレスＤＣモータに磁気センサを搭載する場合、室外側ブラシレスＤＣモータの内蔵する磁気センサと制御装置を長い中継リード線で接続するため、センサ信号の中継リード線がノイズの影響を受け易く、誤動作しやすくなると共に、熱交換型冷却機内の配線作業も複雑で手間がかかり、高コストの冷却機になるという課題があり、また、磁気センサをＤＣモータに内蔵するため、ＤＣモータの寸法が厚くなり、装置が小型化出来ないという課題があった。
【００１６】
また、ブラシレスＤＣモータのセンサレス駆動の場合、電流値の極小になる時刻が、すなわち誘起電圧が最大となる時刻と等しいとして、磁極位置を推定して転流タイミングを決定しているが、広角通電の場合電流波形が違い、電流値が最小にならない。従って、誘起電圧が最大になる時刻を推定することができず、磁極位置を把握することが困難となるため、ＤＣモータを駆動することが出来ないという課題があった。
【００１７】
また、このような従来の構成では、１２０度矩形波通電に関するものであり、トルクの脈動が多いために装置との共振によって騒音が発生するという課題があった。
【００１８】
また、起動時の加速や直流電源の急激な電圧変動等の外乱によりインバータ回路に供給されている電流値の変動が著しい場合、過大な電流がインバータ回路やブラシレスＤＣモータに流れ、スイッチング素子の破損や回転子の磁石を減磁させてブラシレスＤＣモータの効率が低下する課題があった。これを防止するためにある一定値以上の電流を流さないように保護制御を行うと、電流波形が変形するために、トルクの脈動が多くなり、装置との共振によって騒音が発生する課題があった。また、磁極位置を正確に推定することが困難となり、脱調を引き起こしてブラシレスＤＣモータが停止する可能性が大きくなったり、電流が大きくなって効率が低下するという課題があった。
【００１９】
また、ブラシレスＤＣモータの過電流保護の場合、コンパレータ回路が必要のため、部品及び回路スペースを必要とし、低コスト化及び小型化に課題があった。
【００２０】
従って、正確に磁極位置、すなわち位相の推定を行うと共に過電流を保護して広角通電でセンサレス駆動でき、小型、低コストで低騒音にすることができるブラシレスＤＣモータの制御装置が求められている。
【００２１】
ここで、本願出願人は特願２００６−０２６８２５に記載する、矩形波の通電期間を１２０度以上に長くし、通電重なり期間を設けた広角通電で回転させるＤＣブラシレスモータのセンサレス駆動回路を発明した。直流電源からインバータ回路に供給される電流値により得られた電流波形に基づいて、ブラシレスＤＣモータの固定子巻線に誘起される誘起電圧に対する固定子巻線に印加する電圧との位相を推定し、目標位相に追従するように転流タイミングを制御するものである。センサ信号のリード線を無くすことにより、動作の信頼性を高め、低コストと装置の小型化を実現すると共に、駆動トルクのリップルを少なくし、振動や騒音を少なくしたものである。
【００２２】
以下、その動作について、図１８及び図１９を参照しながら説明する。図１８に示すように、直流電源１１６からインバータ回路１１７に供給される電流値を検出する電流検出抵抗１２１を配置する。電流検出抵抗１２１の端子間電圧をマイクロコンピュータ１２２に内蔵されているＡ／Ｄ変換器１２３に入力する。位相推定手段１２６はＡ／Ｄ変換器１２３でデジタル化した電流値から電流の時間に対する電流変化率を演算し、あらかじめ記憶しておいたインバータ回路１１７に供給される電流値の電流変化率と固定子巻線に誘起される誘起電圧に対する固定子巻線に印加する電圧との位相関係から、位相を推定する。転流タイミング決定手段１２７は、位相推定手段１２６から得られた位相と目標位相を比較し、位相差に基づいてモータ電流の相転流タイミングを計算し、インバータを制御するスイッチング信号、Ｕ＋，Ｖ＋，Ｗ＋，Ｕ−，Ｖ−，Ｗ−を出力する。ドライブ回路１２５は転流タイミング決定手段１２７から出力されるスイッチング信号に基づいて、スイッチング素子Ｑ１，Ｑ２，Ｑ３，Ｑ４，Ｑ５，Ｑ６をそれぞれスイッチングし、１５０度の広角通電により駆動されている。
【００２３】
図１９（ａ）は１５０度の通電期間を持った広角通電の具体的なＵ＋，Ｖ＋，Ｗ＋，Ｕ−，Ｖ−，Ｗ−のスイッチング信号、通電期間、通電重なり期間および通電の重ならない期間を示している。図１９（ｂ）は具体的な電流検出抵抗の検知する電流波形を示している。電流波形は、周期性を持っており、電気角６０度で１周期となり、１周期の期間の中で通電重なり期間、通電の重ならない期間が交互に存在している。
【００２４】
このような構成にすることにより、ブラシレスＤＣモータの制御装置は、複雑な位相の推定回路を必要とせず、安価なマイコンを使用して広角通電でセンサレス駆動が可能となるため、小型、低コストで低騒音にすることができた。また、センサ信号のリード線が不要になるためノイズの影響を排除できると共に、軽負荷、重負荷など負荷の大きさが変化しても、負荷変動に応じて常に最適な位相にすることが可能となり、外乱等により負荷変動が大きい場合においても脱調することが無いので、信頼性が高く高効率にすることができた。また、磁気センサが不要になるので、ブラシレスＤＣモータを小型化、低コスト化できると共に、センサ信号のリード線が不要になり、中継線を接続する作業もなくなるので、小型で低コストの換気送風装置、例えば、具体的に熱交換型冷却機にすることができた。
【００２５】
本発明は、このような従来の課題を解決し、さらに機能向上を図るもので、起動時の負荷変動や、電源ノイズによる直流電源の急激な電圧変動等の外乱によりインバータ回路に供給されている電流値の変動が著しくあった場合においても、スイッチング素子の破損や回転子の磁石を減磁させてブラシレスＤＣモータの効率を低下させることが防止でき、また、騒音の発生や脱調することが防止できると共に、コンパレータ回路を不要とし、小型、低コストで低騒音にすることができる信頼性の高い広角通電のセンサレス駆動によるブラシレスＤＣモータの制御装置を提供することを目的としている。
【課題を解決するための手段】
【００２６】
本発明のブラシレスＤＣモータの制御装置は、上記目的を達成するために、直流電源に複数のスイッチング素子をブリッジ接続してなるインバータ回路を介して接続された回転子と固定子巻線を有するブラシレスＤＣモータを前記インバータ回路のスイッチング素子をオン・オフさせ、オンの期間を電気角で１２０度以上長くして通電重なり期間を設けて広角通電で回転させる制御装置において、位相推定と電流制限を両立させるようにすることを特徴とするブラシレスＤＣモータの制御装置としたものである。
【００２７】
これにより、インバータ回路に流れる電流値を電流検出抵抗から直接電流値として検出して位相を推定し、あらかじめ定められた電流しきい値以上に電流が越えないようにモータに印加される電圧を制御することが可能になると共にコンパレータ回路が不要な小型、低コストで低騒音にすることができるブラシレスＤＣモータの制御装置が得られる。
【００２８】
また、他の手段は、直流電源に複数のスイッチング素子をブリッジ接続してなるインバータ回路を介して接続された回転子と固定子巻線を有するブラシレスＤＣモータを前記インバータ回路のスイッチング素子をオン・オフさせ、オンの期間を電気角で１２０度以上長くして通電重なり期間を設けて広角通電で回転させる制御装置において、前記直流電源からインバータ回路に供給される電流を検出する電流検出抵抗と、前記電流検出抵抗より出力される電流値により得られた電流波形に基づいてあらかじめ記憶された前記ブラシレスＤＣモータの前記固定子巻線に誘起される誘起電圧に対する前記固定子巻線に印加する電圧との位相を推定する位相推定手段と、前記位相推定手段によって推定した位相があらかじめ定められた目標位相に追従するように転流タイミングを決定する転流タイミング決定手段と、前記電流検出抵抗より出力された電流値があらかじめ定められた電流しきい値を越えないようにモータに印加される電圧を制御する電流制限手段を有することを特徴とするブラシレスＤＣモータの制御装置としたものである。
【００２９】
これにより、インバータ回路に流れる電流値を電流検出抵抗から直接電流値として検出して位相を推定し、あらかじめ定められた電流しきい値以上に電流が越えないようにモータに印加される電圧を制御することが可能になると共にコンパレータ回路が不要な小型、低コストで低騒音にすることができるブラシレスＤＣモータの制御装置が得られる。
【００３０】
また、他の手段は、位相推定手段を、電流検出抵抗より出力される電流値において、通電重なり期間ではない通電の重ならない期間に、あらかじめ定められた第１および第２のタイミングにおける電流値の比を電流変化率として算出し、電流変化率と固定子巻線に印加する電圧と位相との相関曲線をあらかじめ記憶したものである。
【００３１】
このれにより、広角通電における位相の検出が正確にできると共に、あらかじめ定められた電流しきい値以上に電流が越えないようにモータに印加される電圧を制御することができる信頼性の高いブラシレスＤＣモータの制御装置が得られる。
【００３２】
また、他の手段は、あらかじめ定められた電流しきい値に対してインバータ回路に流れる電流が大きい場合、その差に応じて、モータに印加される電圧を下げる電圧値を変えるようにしたものである。
【００３３】
これにより、電流しきい値を越えた電流の大きさにより、モータに印加される電圧を下げる電圧値を変えることができ、急激な負荷変動等によりモータに過大な電流が継続して流れる期間を短くすることができ、スイッチング素子の破損や回転子の磁石の減磁をしにくくし、ブラシレスＤＣモータの効率の低下を防止することができる信頼性の高いブラシレスＤＣモータの制御装置が得られる。
【００３４】
また、他の手段は、あらかじめ定められた第１のしきい値に対して、インバータ回路に流れる電流の最大値により制御を行うようにしたものである。
【００３５】
これにより、電流波形が変形せずに正確に検出できるので、磁極位置が正確に推定でき、ブラシレスＤＣモータの効率の低下を防止できる信頼性の高いブラシレスＤＣモータの制御装置が得られる。
【００３６】
また、他の手段は、あらかじめ定められた第１のしきい値に対して、インバータ回路に流れる電流の平均値により制御を行うようにしたものである。
【００３７】
これにより、電流波形が変形せずに正確に検出できるので、磁極位置が正確に推定でき、ブラシレスＤＣモータの効率の低下を防止できる信頼性の高いブラシレスＤＣモータの制御装置が得られる。
【００３８】
また、他の手段は、あらかじめ定められた第１のしきい値に対して、起動時は、インバータ回路に流れる電流の最大値により制御を行い、運転時は、電流の平均値により制御を行い、起動時と運転時で制御を変えるようにしたものである。
【００３９】
これにより、スイッチング素子の破損や回転子の磁石が減磁するおそれが高い起動時には、電流の最大値で電流を抑え、運転時は、より電流値のばらつきが少なく安定して電流を抑えるようにすることができ、起動時において過大な電流が継続して発生することを防止すると共に、十分な起動トルクが得られる信頼性の高いブラシレスＤＣモータの制御装置が得られる。
【００４０】
また、他の手段は、あらかじめ定められた第１のしきい値に対して、運転時はインバータ回路に流れる電流の平均値により制御を行い、あらかじめ定められた電流しきい値を越えた時は、電流の最大値により制御を行い、モータ負荷の変化に応じて制御を変えるようにしたものである。
【００４１】
これにより、急激な負荷変動等により、電流が増加して電流しきい値を越えた時は、電流の最大値で電流を抑えることができ、モータに過大な電流が継続して流れる期間を短くすることができる信頼性の高いブラシレスＤＣモータの制御装置が得られる。
【００４２】
また、他の手段は、あらかじめ定められた第１の電流しきい値よりも大きな第２の電流しきい値を設け、インバータ回路に流れる電流が第２の電流しきい値を越えた場合は、電流をシャットダウンして第２の電流しきい値以上電流が大きくならないようにするようにしたものである。
【００４３】
これにより、負荷変動等により、電流が大幅に増加して、第２の電流しきい値を越えた時は、スイッチング素子をオフして電流をシャットダウンし、第２の電流しきい値以上の電流が流れないようにすることができ、確実にモータに過大な電流が流れることを防止することができる信頼性の高いブラシレスＤＣモータの制御装置が得られる。
【００４４】
また、他の手段は、あらかじめ定められた第１の電流しきい値よりも大きな第２の電流しきい値を設け、インバータ回路に流れる電流が第２の電流しきい値を越えた場合は、電流をシャットダウンして、モータに印加される電圧を下げる電圧値をあらかじめ定められた第１の電流しきい値で変更する値より大きく変更するとしたものである。
【００４５】
これにより、負荷変動等により、電流が大幅に増加して、第２の電流しきい値を越えた時は、スイッチング素子をオフして電流をシャットダウンし、第２の電流しきい値以上の電流が流れないようにすると共に、モータに印加される電圧を下げる電圧値をあらかじめ定められた第１の電流しきい値で変更する値より更に大きく変更するので、確実にモータに過大な電流が流れることを防止すると共に駆動を継続することができる信頼性の高いブラシレスＤＣモータの制御装置が得られる。
【００４６】
また、他の手段は、インバータ回路に流れる電流があらかじめ定められた第２のしきい値を越えた場合、そのタイミングが予め定められたタイミングより早い時は、モータに印加する電圧を停止するようにしたものである。
【００４７】
これにより、モータが急激に拘束したり、直流電源の電圧の急変により、急激に電流値が大きくなった場合、モータ電圧の供給を停止して、モータ電流を無くすことが可能となり、スイッチング素子の破損や回転子の磁石を減磁させてブラシレスＤＣモータの効率を低下させることが防止でき、確実にモータに過大な電流が流れることを防止できる信頼性の高いブラシレスＤＣモータの制御装置が得られる。
【００４８】
また、他の手段は、位相推定に利用する電流値があらかじめ定められた第２の電流値を超えている場合、モータに印加する電圧を停止するようにしたものである。
【００４９】
これにより、モータが急激に拘束したり、直流電源の電圧の急変により、急激に電流値が大きくなった場合、モータ電圧の供給を停止して、モータ電流を無くすことが可能となり、スイッチング素子の破損や回転子の磁石を減磁させてブラシレスＤＣモータの効率を低下させることが防止でき、確実にモータに過大な電流が流れることを防止できる信頼性の高いブラシレスＤＣモータの制御装置が得られる。
【００５０】
また、他の手段は、ブラシレスＤＣモータの制御装置を換気送風機、例えば、熱交換型冷却機に搭載したものである。
【００５１】
これにより、内気風路側に設置された制御手段との接続に使用するセンサ信号の中継リード線が不要になり、中継線を接続する作業もなくなるので、小型で低コストになり、また、センサ信号線へのノイズによる誤動作の影響がないため、信頼性の高い換気送風機、例えば、熱交換型冷却機が得られる。
【発明の効果】
【００５２】
本発明によれば、広角通電のセンサレス駆動において、起動時の加速や直流電源の急激な電圧変動等の外乱によりインバータ回路に供給される電流値の変動が著しくあった場合、スイッチング素子の破損や回転子の磁石を減磁させてブラシレスＤＣモータの効率を低下させることが防止でき、騒音の発生や脱調することが防止できると共に、コンパレータ回路を不要とし、小型、低コストで低騒音にすることができる信頼性の高い広角通電のセンサレス駆動によるブラシレスＤＣモータの制御装置及び換気送風機、例えば、具体的に熱交換型冷却機を提供できる。
【発明を実施するための最良の形態】
【００５３】
本発明の請求項１記載の発明は、直流電源に複数のスイッチング素子をブリッジ接続してなるインバータ回路を介して接続された回転子と固定子巻線を有するブラシレスＤＣモータを前記インバータ回路のスイッチング素子をオン・オフさせ、オンの期間を電気角で１２０度以上長くして通電重なり期間を設けて広角通電で回転させる制御装置において、位相推定と電流制限を両立させるようにすることを特徴としたものであり、確実な位相推定と電流制限を両立させることで、インバータ回路に流れる電流値を電流検出抵抗から直接電流値として検出して位相を推定し、あらかじめ定められた電流しきい値以上に電流が越えないようにモータに印加される電圧を制御することが可能になると共に、コンパレータ回路が不要になり、小型、低コストで低騒音にできるブラシレスＤＣモータの制御装置が実現できる。
【００５４】
本発明の請求項２記載の発明は、直流電源に複数のスイッチング素子をブリッジ接続してなるインバータ回路を介して接続された回転子と固定子巻線を有するブラシレスＤＣモータを前記インバータ回路のスイッチング素子をオン・オフさせ、オンの期間を電気角で１２０度以上長くして通電重なり期間を設けて広角通電で回転させる制御装置において、前記直流電源からインバータ回路に供給される電流を検出する電流検出抵抗と、前記電流検出抵抗より出力される電流値により得られた電流波形に基づいてあらかじめ記憶された前記ブラシレスＤＣモータの前記固定子巻線に誘起される誘起電圧に対する前記固定子巻線に印加する電圧との位相を推定する位相推定手段と、前記位相推定手段によって推定した位相があらかじめ定められた目標位相に追従するように転流タイミングを決定する転流タイミング決定手段と、前記電流検出抵抗より出力された電流値があらかじめ定められた電流しきい値を越えないようにモータに印加される電圧を制御する電流制限手段を有するものであり、インバータ回路に流れる電流を検出して位相を推定すると共に、あらかじめ定められた電流しきい値以上の電流を越えないようにモータに印加される電圧を制御することができ、確実な位相推定と電流制限を両立させることが可能となり、インバータ回路に流れる電流値を電流検出抵抗から直接電流値として検出して位相を推定し、あらかじめ定められた電流しきい値以上に電流が越えないようにモータに印加される電圧を制御することが可能になると共に、コンパレータ回路が不要になり、小型、低コストで低騒音にできるブラシレスＤＣモータの制御装置が実現できる。
【００５５】
本発明の請求項３記載の発明は、請求項１または２に記載の発明において、位相推定手段を、電流検出抵抗より出力される電流値において、通電重なり期間ではない通電の重ならない期間に、あらかじめ定められた第１および第２のタイミングにおける電流値の比を電流変化率として算出し、電流変化率と固定子巻線に印加する電圧との位相との相関曲線をあらかじめ記憶したものである。
【００５６】
これにより、広角通電における位相の検出が正確にできると共に、あらかじめ定められた電流しきい値以上に電流が越えないようにモータに印加される電圧を制御することができる信頼性の高いブラシレスＤＣモータの制御装置が実現できる。
【００５７】
本発明の請求項４記載の発明は、請求項１乃至３のいずれかに記載の発明において、あらかじめ定められた電流しきい値に対してインバータ回路に流れる電流との差に応じて、モータに印加される電圧を下げる電圧値を変更するようにしたものであり、電流しきい値を越えた電流の大きさに応応じて、モータに印加される電圧を下げる電圧値を変えることができ、急激な負荷変動等によりモータに過大な電流が継続して流れる期間を短くすることができ、スイッチング素子の破損や回転子の磁石の減磁をしにくくすることができる信頼性の高いブラシレスＤＣモータの制御装置が実現できる。
【００５８】
本発明の請求項５記載の発明は、請求項１及至４のいずれかに記載の発明において、インバータ回路に流れる電流の最大値により制御を行うようにしたものであり、電流波形が変形せずに正確に検出できるので、磁極位置が正確に推定でき、ブラシレスＤＣモータの効率の低下を防止できる信頼性の高いブラシレスＤＣモータの制御装置が実現できる。
【００５９】
本発明の請求項６記載の発明は、請求項１及至４のいずれかに記載の発明において、インバータ回路に流れる電流の平均値により制御を行うようにしたものであり、平均化することによりばらつきが少なく安定してモータ電流を抑えることができ、モータ効率の低下を防止できる信頼性の高いブラシレスＤＣモータの制御装置が実現できる。
【００６０】
本発明の請求項７記載の発明は、請求項１及至４いずれかに記載の発明において、起動時は、インバータ回路に流れる電流の最大値により制御を行い、運転時は、電流の平均値により制御を行い、起動時と運転時で制御を変えるようにしたものであり、スイッチング素子の破損や回転子の磁石が減磁するおそれが高い起動時には、電流の最大値で電流を抑え、運転時は、より電流値のばらつきが少なく安定してモータ電流を抑えることができ、起動時において過大な電流が継続して発生することを防止すると共に、十分な起動トルクを得ることができ、信頼性の高いブラシレスＤＣモータの制御装置が実現できる。
【００６１】
本発明の請求項８記載の発明は、請求項１及至４のいずれかに記載の発明において、運転時はインバータ回路に流れる電流の平均値により制御を行い、あらかじめ定められた電流しきい値を越えた時は、電流の最大値により制御を行い、モータ負荷の変化に応じて制御を変えるようにしたものであり、急激な負荷変動等により、電流が増加して電流しきい値を越えた時は、電流の最大値で電流を抑えることができ、モータに過大な電流が継続して流れる期間を短くすることができる信頼性の高いブラシレスＤＣモータの制御装置が実現できる。
【００６２】
本発明の請求項９記載の発明は、請求項５及至８のいずれかに記載の発明において、あらかじめ定められた第１の電流しきい値よりも大きな第２の電流しきい値を設け、インバータ回路に流れる電流が第２の電流しきい値を越えた場合は、電流をシャットダウンして第２の電流しきい値以上の電流が流れないようにしたものであり、負荷変動等により、電流が大幅に増加して、第２の電流しきい値を越えた時は、スイッチング素子をオフして電流をシャットダウンし、第２の電流しきい値以上の電流が流れないようにすることができ、確実にモータに過大な電流が流れることを防止することができる信頼性の高いブラシレスＤＣモータの制御装置が実現できる。
【００６３】
本発明の請求項１０記載の発明は、請求項５及至９のいずれかに記載の発明において、インバータ回路に流れる電流が第２の電流しきい値を越えた場合は、電流をシャットダウンして第２の電流しきい値以上電流が大きくならないように制御すると共に、モータに印加される電圧を下げる電圧値をあらかじめ定められた第１の電流しきい値で変更する値より大きく変更するようにしたものであり、電源電圧の変動により電流が大幅に増加して、第２の電流しきい値を越えスイッチング素子をオフして電流をシャットダウンした場合、モータに印加される電圧を下げる電圧値をあらかじめ定められた第１の電流しきい値で変更する値より大きく変更し、インバータ回路に流れる電流を早く小さくして電流波形が変形しないようにし、位相推定手段における位相の推定を確実に行うものであり、過電流保護が働いても素早くンバータ回路に流れる電流の変形を無くし、過電流保護が働いている時も位相推定が確実にできる信頼性の高いブラシレスＤＣモータの制御装置が実現できる。
【００６４】
本発明の請求項１１記載の発明は、請求項５乃至１０記載の発明において、らかじめ定められた第１のしきい値よりも大きな第２のしきい値を設け、インバータ回路に流れる電流が第２のしきい値を越えた場合、そのタイミングが予め定められたタイミングより早い場合は、モータを停止させるようにしたものであり、モータが急激にロックしたり、直流電源の電圧の急変により、急激に電流値が大きくなった場合、モータ電圧の供給を停止して、モータ電流を無くすことができ、スイッチング素子の破損や回転子の磁石を減磁させてブラシレスＤＣモータの効率を低下させることが防止でき、確実にモータに過大な電流が流れることを防止できる信頼性の高いブラシレスＤＣモータの制御装置が実現できる。
【００６５】
本発明の請求項１２記載の発明は、請求項５乃至１１に記載の発明において、流制限手段は、あらかじめ定められた第１のしきい値よりも大きな第２のしきい値を設け、位相を推定する期間において、インバータ回路に流れる電流が第２のしきい値を超えた場合、モータを停止させるようにしたものであり、直流電源の急激な電圧の変動等により、モータ電流値が大幅に増加した場合、モータを停止させ、スイッチング素子の破損や回転子の磁石を減磁させてブラシレスＤＣモータの効率を低下させることが防止でき、確実にモータに過大な電流が流れることを防止できる信頼性の高いブラシレスＤＣモータの制御装置が実現できる。
【００６６】
本発明の請求項１３記載の発明は、請求項１乃至１２に記載の発明において、ブラシレスＤＣモータの制御装置を換気送風機、例えば、具体的に熱交換型冷却機に搭載したものであり、内気風路側に設置された制御手段との接続に使用するセンサ信号の中継リード線が不要になり、中継線を接続する作業もなくなるので、小型で低コストになり、また、センサ信号線へのノイズによる誤動作の影響がないため、信頼性の高い換気送風機、例えば、熱交換型冷却機が実現できる。
【００６７】
以下、本発明の実施の形態について図面を参照しながら説明する。
【００６８】
（実施の形態１）
図１に示すように、インバータ回路１は３相インバータブリッジの構成であり、Ｑ１，Ｑ２，Ｑ３はそれぞれＵ，Ｖ，Ｗ相の上アームスイッチング素子であり、同様にＱ４，Ｑ５，Ｑ６はそれぞれＵ，Ｖ，Ｗ相の下アームスイッチング素子である。各スイッチング素子には、それぞれ並列に還流ダイオードＤ１，Ｄ２，Ｄ３，Ｄ４，Ｄ５，Ｄ６を接続する。ブラシレスＤＣモータ２は回転子３と固定子４から構成され、固定子４には電気角で１２０度の位相差を持つように固定子巻線Ｌ１，Ｌ２，Ｌ３が配置される。直流電源５とスイッチング素子の間には、図示するように直流電源５の出力電流を検出する電流検出抵抗６を配置する。電流検出抵抗６の端子間電圧をマイクロコンピュータ７に内蔵されているＡ／Ｄ変換器８に入力する。位相推定手段９はＡ／Ｄ変換器８でデジタル化した電流値から電流の時間に対する電流変化率を演算し、あらかじめ記憶しておいたインバータ回路１に供給される電流値の電流変化率と固定子巻線に誘起される誘起電圧に対する固定子巻線に印加する電圧との位相関係から、位相を推定する。転流タイミング決定手段１０は、位相推定手段９から得られた位相と目標位相を比較し、位相差に基づいてモータ電流の相転流タイミングを計算し、インバータを制御するスイッチング信号、Ｕ＋，Ｖ＋，Ｗ＋，Ｕ−，Ｖ−，Ｗ−を出力する。電流制限手段１１はＡ／Ｄ変換器８でデジタル化した電流値とあらかじめ定められた電流しきい値と比較を行い、電流しきい値を越えた時はスイッチング素子をオフするようにスイッチング信号、Ｕ＋，Ｖ＋，Ｗ＋，Ｕ−，Ｖ−，Ｗ−を制御し、モータ電流の増加を押さえ、モータ電流を減少させるようにして過電流保護を行う。
【００６９】
ドライブ回路１２は電流制御手段１１から出力されるスイッチング信号に基づいて、スイッチング素子Ｑ１，Ｑ２，Ｑ３，Ｑ４，Ｑ５，Ｑ６をそれぞれスイッチングし、１５０度の広角通電により駆動する。
【００７０】
位相推定手段９、転流タイミング決定手段１０、電流制御手段１１、ドライブ回路１２はマイクロコンピュータ７に内蔵されている。
【００７１】
制御装置１３は、インバータ回路１、電流検出抵抗６、マイクロコンピュータ７からなる。
【００７２】
次に位相推定の方法について説明する。図２（ａ）は１５０度通電における電流検出抵抗が検出する電流波形を示している。図において、転流周期の任意の２点、すなわちＩ１，Ｉ２における電流値をＡ／Ｄ変換し、Ｉ１の電流値に対してＩ２の電流値の比を電流変化率Ｉｈｉとして、式１により求める。
【００７３】
Ｉｈｉ＝Ｉ２の電流値／Ｉ１の電流値・・・（式１）
トルクを一定にして、固定子巻線に誘起される誘起電圧に対する固定子巻線に印加する電圧との位相を例えば−３０度から２０度まで変化させた時の電流変化率を式１により求めると、図３のような電流変化率と固定子巻線に印加する電圧との位相関係が得られる。
【００７４】
この位相関係から、図４に示すような電流変化率と固定子巻線に印加する電圧との位相関係に簡略化し、これをあらかじめ記憶しておく。従って、式１で得られた電流変化率から図４を用いて現在の位相を得ることができる。
【００７５】
図２（ｂ）は、目標とする位相に対して転流タイミングが早い時の電流波形を示している。この場合において、式１により得られた電流変化率Ｉｈｉを１．０１２とすると、図４から−５度の位相であると推定でき、目標位相を０度とすると、目標位相に対する位相差は−５度であり、目標位相に対して進み位相であると判別できる。その位相差に応じて、次回の転流タイミングを遅らすことによって、電流波形を破線に近づけ、目標位相での運転を可能にする。
【００７６】
一方、図２（ｃ）は、目標とする位相に対して転流タイミングが遅い時の電流波形を示している。破線は目標としている位相の場合の電流波形を示している。この場合において、式１により得られた電流変化率Ｉｈｉを０．９６３とすると、図４から５度の位相であると推定でき、目標位相を０度とすると、目標位相に対する位相差は５度であり、目標位相に対して遅れ位相であると判別でき、その位相差に応じて、次回の転流タイミングを早めることによって、電流波形を破線の波形に近づけ、目標位相での運転を可能にする。
【００７７】
次に電流制限の方法について説明する。図５は１５０度通電における電流検出抵抗が検出する電流波形を示している。図において、位相を検出する以外の任意のタイミングの１点、すなわちＩ３における電流値をＡ／Ｄ変換し、電流しきい値Ｉａと比較を行い電流しきい値Ｉａよりも大きくなった時、電気角６０度の１周期の期間毎にデューティを細く、モータ印加電圧Ｖｍを下げていくことにより電流の増加を防止し、電流しきい値Ｉａを越えないように制御を行う。電流制限を行わない時の電流波形を点線で示すと、モータ印加電圧を下げることによって電流の増加を防止できていることがより顕著にわかる。
【００７８】
これによって、インバータ回路に流れる電流を検出して位相を推定すると共に、あらかじめ定められたタイミングにおける電流値を検出し、電流しきい値以上に電流値が越えないようにモータに印加する電圧を制御することができ、確実な位相推定と電流制限を両立させることが可能となり、インバータ回路に流れる電流値を電流検出抵抗から直接電流値として検出して位相を推定し、あらかじめ定められた電流しきい値以上に電流が越えないようにモータに印加される電圧を制御することが可能になると共に、コンパレータ回路が不要になり、小型、低コストで低騒音にできるブラシレスＤＣモータの制御装置が得られる。
【００７９】
なお、本発明の実施例では、あらかじめ記憶する位相を−３０度から２０度の範囲としたが、モータに合わせて設定すればよく、その作用効果に差異を生じない。
【００８０】
また、位相を検出する以外の任意のタイミングで電流を検出したが、位相を検出するための電流値を電流しきい値Ｉａと比較しても良く、その作用効果に差異を生じない。
【００８１】
また、任意のタイミングの１点のみを電流しきい値Ｉａと比較したが、複数のタイミングで比較することも可能であり、この数値はモータの特性に合わせて決定すれば良く、その作用効果に差異は生じない。
【００８２】
また、位相推定と電流制限を両立させるようにすることにより、スイッチング素子の破損や回転子の磁石を減磁させてブラシレスＤＣモータの効率を低下させることが防止でき、騒音の発生や脱調することが防止できると共に、コンパレータ回路を不要とし、小型、低コストで低騒音にすることができる信頼性の高い広角通電のセンサレス駆動によるブラシレスＤＣモータの制御装置及び換気送風機、例えば、具体的に熱交換型冷却機を提供できる。
【００８３】
（実施の形態２）
図６は、１５０度の広角通電における電流検出抵抗が検出する電流波形を示している。図において、電気角６０度の１周期の期間には通電重なり期間と通電の重ならない期間が存在し、電流波形の形状が異なることが確認できる。通電重なり期間、通電の重ならない期間と電流波形については図１９の（ａ）、（ｂ）に具体的に示している。
【００８４】
通電の重ならない期間において、ｔ０からあらかじめ定められた第１のタイミングｔ１１における第１の電流値Ｉ１と第２のタイミングｔ１２における第２の電流値Ｉ２をＡ／Ｄ変換して求め、次にＩ１の電流値に対してＩ２の電流値の比を電流変化率Ｉｈｉとして、式１により求める。
【００８５】
一例として第１のタイミングｔ１１を電気角１０度、第２のタイミングｔ１２を電気角３０度として各位相における電流変化率の関係を図７において実線で示す。一方、通電重なりの期間において、一例として第１のタイミングｔ１１を電気角３０度、第２のタイミングｔ１２を電気角５０度の各位相における電流変化率の関係も破線で同時に示す。図より実線で示した特性の方が各位相において電流変化率の変化が大きくなっている。破線は殆ど変化が無い。これにより、電流変化率の変化が大きい通電の重ならない期間において電流値を検出する方が位相の推定誤差がより少なくなるということがわかる。
【００８６】
このれによって、広角通電における位相の検出が正確にできると共に、あらかじめ定められた電流しきい値以上に電流が越えないようにモータに印加される電圧を制御することができる信頼性の高いブラシレスＤＣモータの制御装置が得られる。
【００８７】
（実施の形態３）
図８は、１５０度通電における電流検出抵抗が検出する電流波形を示している。電気角６０度の１周期の期間の任意の１点、すなわちＩ３における電流値をＡ／Ｄ変換し、電流しきい値Ｉａと比較を行い電流差Ｉｄを式２より求めることができる。
【００８８】
Ｉｄ＝Ｉ３の電流値−Ｉａの電流しきい値・・・（式２）
この時、電流しきい値を越えないようにモータに印加される電圧を下げる補正電圧Ｖｄは、ゲインをαとすると、式３により求められる。
【００８９】
Ｖｄ＝Ｉｄ×α・・・（式３）
従って、電流しきい値を越えないようにモータに印加すべき電圧は、モータに印加されている電圧Ｖｍから補正電圧Ｖｄを減らした電圧とすればよい。
【００９０】
例えば、電流しきい値が２Ａ、モータ印加電圧Ｖｍが２４Ｖ、αが０．２の時、Ａ／Ｄ変換された電流値Ｉ３＝２．５Ａとすると、Ｖｄ３＝０．５Ｖとなる。Ｉ３の位置において電流が電流しきい値を越えないようにするには、転流タイミング後、通電切替えを行うと同時にモータに印加される電圧を２４Ｖから２３．５Ｖに下げる。以下同様にして各周期の期間毎に印加される電圧を制御することにより電流しきい値を越えないようにすることができる。
【００９１】
これによって、電流しきい値を越えた電流の大きさに応じて、モータに印加される電圧を下げる電圧値を変えることができ、急激な負荷変動等によりモータに過大な電流が継続して流れる期間を短くすることができ、スイッチング素子の破損や回転子の磁石の減磁をしにくくすることができる信頼性の高いブラシレスＤＣモータの制御装置が得られる。
【００９２】
なお、本実施例においては、ゲインαを０．２としたが、この数値はモータの特性に合わせて決定すれば良く、その作用効果に差異は生じない。
【００９３】
（実施の形態４）
図９は、１５０度通電における電流検出抵抗が検出する電流波形を示している。電気角６０度の１周期の期間の任意の４点、すなわちＩｓ１，Ｉｓ２，Ｉｓ３，Ｉｓ４における電流値をＡ／Ｄ変換し、最大の電流値を求め、電流しきい値Ｉａと比較を行い、電流しきい値Ｉａより大きい時、電流差Ｉｄを式２より求め、更に、モータに印加される電圧を下げる補正電圧Ｖｄを式３により求める。この補正電圧をもって、次の電気角６０度の１周期の期間のモータに印加される電圧Ｖｍを下げる。以下同様にして次の電気角６０度の１周期の期間毎にモータに印加される電圧を制御することにより電流しきい値Ｉａを越えないようにする。従って、電流しきい値を越えないようにモータに印加すべき電圧は、モータに印加されている電圧Ｖｍから補正電圧Ｖｄを減らした電圧とすればよい。
【００９４】
例えば、電流しきい値がＩａ＝２．０Ａ、モータ印加電圧Ｖｍが２４Ｖ、αが０．２、の時、各Ａ／Ｄされた電流値がそれぞれＩｓ１＝１．７Ａ、Ｉｓ２＝１．７Ａ、Ｉｓ３＝２．６Ａ、Ｉｓ４＝３．０ＡとするとＩｓ４の電流値が一番大きいため、Ｉｓ４＝３．０Ａと電流しきい値がＩａ＝２．０Ａが比較され、Ｉｓ４の方が大きいため、電流差Ｉｄ＝＝１．０Ａを求め、補正電圧Ｖｄ＝０．２Ｖを得る。
【００９５】
従って、次の電気角６０度の１周期の期間にモータに印加される電圧を２４Ｖから２３．８Ｖに下げる。以下同様にして、電気角６０度の１周期の期間毎にモータに印加される電圧を制御することにより電流しきい値を越えないようにすることができる。
【００９６】
これによって、インバータ回路に流れる電流の最大値により制御を行うようにしたものであり、電流波形が変形せずに正確に検出できるので、磁極位置が正確に推定でき、ブラシレスＤＣモータの効率の低下を防止できる信頼性の高いブラシレスＤＣモータの制御装置が得られる。
【００９７】
なお、本実施例においては、電流値を電気角６０度の１周期の期間の任意の４点としたが、このサンプル数はモータの特性に合わせて決定すれば良く、また、位相検出のための電流値でも良く、その作用効果に差異は生じない。
【００９８】
また、ゲインαを０．２としたが、この数値はモータの特性に合わせて決定すれば良く、その作用効果に差異は生じない。
【００９９】
（実施の形態５）
図１０は、１５０度通電における電流検出抵抗が検出する電流波形を示している。電気角６０度の１周期の期間の任意の４点、すなわちＩｓ１，Ｉｓ２，Ｉｓ３，Ｉｓ４における電流値をＡ／Ｄ変換し、平均電流値Ｉｓａｖｇを式４から求める。
【０１００】
Ｉｓａｖｇ＝（Ｉｓ１＋Ｉｓ２＋Ｉｓ３＋Ｉｓ４）／４・・・（式４）
平均電流値Ｉｓａｖｇと電流しきい値Ｉａを比較し、平均電流値Ｉｓａｖｇの方が大きい時、その電流差Ｉｄを式５により求める。
【０１０１】
Ｉｄ＝Ｉｓａｇの電流値−Ｉａの電流しきい値・・・（式５）
従って、電流しきい値Ｉａを越えないようにモータに印加される電圧Ｖｍを下げる補正電圧Ｖｄを式３により求める。この補正電圧Ｖｄをもって次の電気角６０度の１周期の期間にモータに印加される電圧Ｖｍを下げる。以下同様にして電気角６０度の１周期の期間毎にモータに印加される電圧Ｖｍを制御することにより電流しきい値Ｉａを越えないようにする。従って、電流しきい値Ｉａを越えないようにモータに印加すべき電圧Ｖｍは、モータに印加されている電圧Ｖｍから補正電圧Ｖｄを減らした電圧とすればよい。
【０１０２】
例えば、電流しきい値Ｉａが２．０Ａ、モータ印加電圧Ｖｍが２４Ｖ、αが０．２の時、各Ａ／Ｄされた電流値がそれぞれＩｓ１＝１．７Ａ、Ｉｓ２＝１．７Ａ、Ｉｓ３＝２．６Ａ、Ｉｓ４＝３．０Ａとすると、その平均電流Ｉｓａｖｇは２．２５Ａとなり、電流差Ｉｄは０．２５Ａとなり、補正電圧Ｖｄは０．５Ｖとなる。
【０１０３】
従って、次の電気角６０度の１周期の期間にモータに印加される電圧を２４Ｖから２３．５Ｖに下げる。以下同様にして次の電気角６０度の１周期の期間毎にモータに印加される電圧を制御することにより電流しきい値を越えないようにすることができる。
【０１０４】
これによって、インバータ回路に流れる電流の平均値により制御を行うようにしたものであり、通電位相を変えることなく電流を抑えることができ、モータ効率の低下を防止できる信頼性の高いブラシレスＤＣモータの制御装置が得られる。
【０１０５】
なお、本実施例においては、電流値を電気角６０度の１周期の期間の任意の４点としたが、このサンプル数はモータの特性に合わせて決定すれば良く、また、位相検出のための電流値でも良く、その作用効果に差異は生じない。
【０１０６】
また、ゲインαを０．２としたが、この数値はモータの特性に合わせて決定すれば良く、その作用効果に差異は生じない。
【０１０７】
（実施の形態６）
起動時は、インバータ回路に流れる電流の最大値により制御を行い、運転時は、電流の平均値により制御を行い、起動時と運転時で制御を変えるようにしたものである。
【０１０８】
上記構成において、電気角６０度の１周期の期間の任意の４点、すなわちＩｓ１，Ｉｓ２，Ｉｓ３，Ｉｓ４における電流値をＡ／Ｄ変換し、起動時は、最大の電流値を求め、電流しきい値Ｉａと比較を行い、電流しきい値Ｉａより大きい時、電流差Ｉｄを式２より求め、更に、モータに印加される電圧を下げる補正電圧Ｖｄを式３により求める。一方、運転時は、同様にして平均電流値Ｉｓａｖｇを式４から求め、平均電流値Ｉｓａｖｇと電流しきい値Ｉａを比較し、平均電流値Ｉｓａｖｇの方が大きい時、その電流差Ｉｄを式５により求め、電流しきい値Ｉａを越えないようにモータに印加される電圧を下げる補正電圧Ｖｄを式３により求める。
【０１０９】
起動時と運転時では、この補正電圧Ｖｄに差ができ、この補正電圧をもって次の電気角６０度の１周期の期間後、モータに印加される電圧Ｖｍを下げる。以下同様にして次の電気角６０度の１周期の期間毎にモータに印加される電圧を制御することにより電流しきい値を越えないようにする。従って、起動時と運転時で過電流保護の制御方法を変えることが可能となる。
【０１１０】
これによって、スイッチング素子の破損や回転子の磁石が減磁するおそれが高い起動時には、電流の最大値で電流を抑え、運転時は、より電流値のばらつきが少なく安定してモータ電流を抑えることができ、起動時において過大な電流が継続して発生することを防止すると共に、十分な起動トルクを得ることができ、信頼性の高いブラシレスＤＣモータの制御装置が得られる。
【０１１１】
（実施の形態７）
運転時はインバータ回路に流れる電流の平均値により制御を行い、あらかじめ定められた電流しきい値を越えた時は、電流値の最大値により制御を行い、モータ負荷の変化に応じて制御を変えるようにしたものである。
【０１１２】
上記構成において、電気角６０度の１周期の期間の任意の４点、すなわちＩｓ１，Ｉｓ２，Ｉｓ３，Ｉｓ４における電流値をＡ／Ｄ変換し、同様にして平均電流値Ｉｓａｖｇを式４、電流差Ｉｄを式５から求め、電流しきい値Ｉａを越えないようにモータに印加される電圧Ｖｍを下げる補正電圧Ｖｄを式３により求める。この補正電圧Ｖｄをもって次の電気角６０度の１周期の期間後、モータに印加される電圧Ｖｍを下げる。以下同様にして次の電気角６０度の１周期の期間毎にモータに印加される電圧Ｖｍを制御することにより電流しきい値Ｉａを越えないようにする。
【０１１３】
この時、モータ負荷に変動があり、負荷が重くなりモータ電流が増加して、電流差Ｉｄがあらかじめ定められたしきい値Ｉｄｍａｘを越えた場合は、各々Ｉｓ１，Ｉｓ２，Ｉｓ３，Ｉｓ４と電流しきい値Ｉａと比較を行い電流差Ｉｄを同様にして式２より求め、その中から一番大きい電流差Ｉｄから電流しきい値を越えないようにモータに印加される電圧を下げる補正電圧Ｖｄを式３により求め、この補正電圧をもって電気角６０度の１周期の期間の後、モータに印加される電圧Ｖｍを下げる。以下同様にして電気角６０度の１周期の期間毎にモータに印加される電圧Ｖｍを制御することにより電流しきい値を越えないようにすることができる。
【０１１４】
これによって、急激な負荷変動等により、電流が増加して電流しきい値を越えた時は、電流の最大値で電流を抑えることができ、モータに過大な電流が継続して流れる期間を短くすることができ、信頼性の高いブラシレスＤＣモータの制御装置が得られる。
【０１１５】
（実施の形態８）
図１１は、１５０度通電における電流検出抵抗が検出する電流波形を示している。図において、第１の電流しきい値Ｉａよりも大きな第２の電流しきい値Ｉｂを設けている。
【０１１６】
点線で示すようにＩｓ３以降において電流しきい値Ｉｂを越えて電流が流れている状態において説明を行う。
【０１１７】
電気角６０度の１周期の期間の任意の４点、すなわちＩｓ１，Ｉｓ２，Ｉｓ３，Ｉｓ４における電流値をＡ／Ｄ変換する。電流値がＩｓ３において電流しきい値Ｉｂを越えていると判断したとき、これ以降、電流値の検出の周期を早くしてＡ／Ｄ変換を行いモータに印加される電圧を下げるように制御を働かせる。具体的には、Ｉｓ３の電流値をＡ／Ｄ変換した時、電流しきい値Ｉｂを越えているときは、電流しきい値Ｉｂとの電流差Ｉｄｂを式６により求める。
【０１１８】
Ｉｄｂ＝Ａ／Ｄ変換した電流値−Ｉｂの電流しきい値・・・（式６）
この時、電流しきい値を越えないようにモータに印加される電圧を下げる補正電圧Ｖｄｂは、ゲインをβとすると、式７により求められる。
【０１１９】
Ｖｄｂ＝Ｉｄｂ×β・・・（式７）
従って、電流しきい値Ｉｂを越えないようにモータに印加すべき電圧は、モータに印加されている電圧Ｖｍから補正電圧Ｖｄｂを減らした電圧とすればよい。この補正電圧Ｖｂｄを次の検出の周期毎にモータに印加される電圧Ｖｍを下げる。
【０１２０】
次の電気角６０度の１周期の期間の通電を切替える転流タイミングの時は、式４、式５から電流差Ｉｄを求め、更にモータに印加される電圧を下げる補正電圧Ｖｄを式３により求め、この補正電圧Ｖｄによりモータの印加電圧Ｖｍを下げるように制御を働かせる。
【０１２１】
例えば、電流しきい値Ｉｂが３Ａ、ゲインβが２、Ｉｓ４が３．８Ａの時、電流しきい値Ｉｂとの電流差Ｉｄｂは、０．８Ａとなり、補正電圧は１．６Ｖとなる。Ｉｓ４の電流値をＡ／Ｄ変換した際にモータに印加されている電圧を２２Ｖとすると、電流制限Ｉｂを越えないように２０．４Ｖの電圧を印加すればよい。
【０１２２】
以下、同様にして検出の周期を早くしてモータに印加される電圧を制御することにより電流しきい値Ｉｂを越えないようにすることができる。
【０１２３】
これによって、負荷変動等により、電流が大幅に増加して、第２の電流しきい値を越えた時は、スイッチング素子をオフして電流をシャットダウンし、第２の電流しきい値以上の電流が流れないようにすることができ、確実にモータに過大な電流が流れることを防止することができ、信頼性の高いブラシレスＤＣモータの制御装置が得られる。
【０１２４】
なお、本実施例においては、ゲインβを２としたが、この数値はモータの特性に合わせて決定すれば良く、その作用効果に差異は生じない。
【０１２５】
また、検出の周期を早くした時、電圧をＰＷＭで変更している場合は、ＰＷＭのキャリア周期毎でも良く、その周期はモータの特性に合わせて決定すれば良く、その作用効果に差異は生じない。
【０１２６】
（実施の形態９）
第２の電流しきい値Ｉｂより電流の検出値が大きくなると、電流値の検出の周期を早くして、その時の補正電圧Ｖｄｂに基づいてモータに印加される電圧を制御するが、次の電気角６０度の１周期の期間の通電切り替えの転流タイミングの時のモータ電圧Ｖｍの補正値Ｖｄは式３より求める値より多く電圧を下げる様にしたものである。
【０１２７】
上記構成において、次の電気角６０度の１周期の期間の通電切り替えの時のモータ電圧の補正値Ｖｄｃはゲインをγとし、γはαより大きな値とし、式８より求める。
【０１２８】
Ｖｄｃ＝Ｉｄ×γ・・・（式８）
従って、第２の電流しきい値Ｉｂより電流の検出値が大きくなった場合、次の電気角６０度の１周期の期間の通電切り替えの転流タイミングの時のモータ電圧にモータに印加すべき電圧は、モータに印加されている電圧Ｖｍから補正電圧Ｖｄｃを減らした電圧とすればよい。
【０１２９】
これによって、負荷変動等により、電流が大幅に増加して、第２の電流しきい値を越えた時は、次の電気角６０度の１周期の期間の通電切り替えの転流タイミングの時のモータ電圧にモータに印加すべき電圧を通常より大きく変更することができ、確実にモータに過大な電流が流れることを防止することができ、信頼性の高いブラシレスＤＣモータの制御装置が得られる。
【０１３０】
（実施の形態１０）
図１２は、１５０度通電における電流検出抵抗が検出する電流波形を示している。
【０１３１】
図において、電気角６０度の１周期の期間の任意の４点、すなわちＩｓ１，Ｉｓ２，Ｉｓ３，Ｉｓ４における電流値をＡ／Ｄ変換しする。この時、Ｉｓ３時点において予め定められた電流しきい値Ｉｂを超えておらず、Ｉｓ４時点において超えて電流が流れている状態と、Ｉｓ３時点において予め定められた電流しきい値Ｉｂを超えて電流が流れている状態において説明を行う。
【０１３２】
図１２（ａ）に示すように、Ｉｓ３時点において予め定められた電流しきい値Ｉｂを超えておらず、Ｉｓ４時点において超えて電流が流れている場合、式６および式７によりＩｄｂおよびＶｄｂを計算し、次の電気角６０度の１周期の期間の通電切り替えの転流タイミングの時のモータ電圧にモータに印加すべき電圧は、モータに印加されている電圧Ｖｍから補正電圧Ｖｄｂを減らした電圧とすればよい。
【０１３３】
図１２（ｂ）に示すように、Ｉｓ３の時点ではすでに予め定められた電流値Ｉｂより大きくなっており、この測定タイミングより前に大きくなったことが確認できる。この場合、モータ電圧Ｖｍを０Ｖにして、モータを停止させる。
【０１３４】
これによって、電流値があらかじめ定められたタイミングより早い場合はモータを停止させることができ、信頼性の高いブラシレスＤＣモータの制御装置が得られる。
【０１３５】
（実施の形態１１）
図１３は、１５０度通電における電流検出抵抗が検出する電流波形を示している。
【０１３６】
図において、点線で示すようにＩｓ１を検出するタイミングであらかじめ定められた電流値Ｉｂを越えている状態において説明を行う。
【０１３７】
Ｉｓ１とＩｓ２は位相推定のために電流値を検出しているが、この電流値があらかじめ定められた値より大きい場合についてはモータを停止させることができる。
【０１３８】
これによって、位相検出の電流値測定タイミングにおいて、あらかじめ定められた電流値以上有った場合は、モータを停止させるようにすることが可能となる。これにより、未然にスイッチング素子の破損や回転子の磁石の減磁を防止することができ、信頼性の高いブラシレスＤＣモータの制御装置が得られる。
【０１３９】
（実施の形態１２）
図１４に示すように、ブラシレスＤＣモータの制御装置を熱交換型冷却機に搭載したものである。
【０１４０】
図において、室外側ブラシレスＤＣモータ２ａで、室外側送風機１４を回転させることにより、携帯電話の交換基地局等の発熱体収納箱１５が設置された周囲の外気を、熱交換型冷却機１６の下部の外気吸込口１７より吸い込み、熱交換素子１８を通過させた後、熱交換型冷却機１６の上部の外気吐出口１９より吐き出している。室内側ブラシレスＤＣモータ２０で、室内側送風機２１を回転させることにより、発熱体収納箱内部の熱せられた内気を、熱交換型冷却機１６の上部の内気吸込口２２より吸い込み、熱交換素子１８を通過させた後、熱交換型冷却機１６の下部の内気吐出口２３より吐き出している。室外側送風機１４の回転による外気の動きを黒塗りの矢印で、室内側送風機２１の回転による室内空気の動きを白抜きの矢印で示している。熱交換素子１８内を冷えた外気と熱せられた室内空気が通過するときに熱交換され、外気は熱せられて大気中に排出され、室内空気は冷やされて室内側に還流されるので、発熱体収納箱１５内の冷却が可能になる。熱交換素子１８内では外気風路と内気風路は遮断されており、熱交換型冷却機１６の内気風路内に外気風路の空気が流入することは無い。熱交換型冷却機１６の内気風路内に設置された制御ボックス２４は、内部に室外側ブラシレスＤＣモータ２ａを駆動するための制御装置１３が設置されている。制御装置１３には、発熱体収納箱１５内に設置された低圧の直流電源５より、低圧の直流電力が供給され、制御装置１３から駆動用リード線２５を通して室外側のブラシレスＤＣモータ２を駆動している。又、制御ボックス２４内には、室内側ブラシレスＤＣモータ２０を駆動する室内側インバータ回路（図示せず）も備え、室内側送風機２１を運転している。
【０１４１】
これによって、内気風路側に設置された制御装置との接続に使用するセンサ信号の中継リード線が不要になるので、センサ信号線へのノイズによる誤動作の影響がない、信頼性の高いブラシレスＤＣモータの制御装置とすることができると共に、リード線が不要になり、中継線を接続する作業もなくなるので、低価格の熱交換型冷却機が得られる。
【産業上の利用可能性】
【０１４２】
一般に使用されるブラシレスＤＣモータの制御装置や換気送風機器に搭載されるブラシレスＤＣモータの制御装置の用途にも適用できる。
【図面の簡単な説明】
【０１４３】
【図１】本発明の実施の形態１のブラシレスＤＣモータの制御装置のブロック図
【図２】同位相推定手段による位相推定方法の説明図（（ａ）目標位相時の電流波形、（ｂ）進み位相時の電流波形、（ｃ）遅れ位相時の電流波形）
【図３】同位相と電流変化率の相関特性図
【図４】同位相と電流変化率を簡略化した相関図
【図５】同電流制限手段による電流制限方法の説明図
【図６】本発明の実施の形態２の位相推定手段による位相推定方法の説明図
【図７】本発明の実施の形態２の位相推定手段による通電の重ならない期間と重なる期間で推定した場合の差を示す説明図
【図８】本発明の実施の形態３の電流制限手段による電流制限方法の説明図
【図９】本発明の実施の形態４の電流制限手段による電流制限方法の説明図
【図１０】本発明の実施の形態５の電流制限手段による電流制限方法の説明図
【図１１】本発明の実施の形態８の電流制限手段による電流制限方法の説明図
【図１２】本発明の実施の形態１０電流制限手段による電流制限方法の説明図（（ａ）あらかじめ定められたタイミングより遅い場合、（ｂ）あらかじめ定められたタイミングより早い場合）
【図１３】本発明の実施の形態１１電流制限手段による電流制限方法の説明図
【図１４】本発明の実施の形態１２のブラシレスＤＣモータの制御装置を搭載した熱交換型冷却機の構造を示す概略断面図
【図１５】従来の熱交換型冷却機の構造を示す概略断面図
【図１６】従来のブラシレスＤＣモータの制御装置のブロック図
【図１７】従来の電流制限方法の説明図
【図１８】特願２００６−０２６８２５の広角通電で回転させるＤＣブラシレスモータのセンサレス駆動回路のブロック図
【図１９】同１５０度の通電期間を持った広角通電の具体的な波形の説明図（（ａ）スイッチング信号、（ｂ）電流検出抵抗の検知する電流波形）
【符号の説明】
【０１４４】
１    インバータ回路
２    ブラシレスＤＣモータ
３    回転子
４    固定子
５    直流電源
６    電流検出抵抗
７    マイクロコンピュータ
８    Ａ／Ｄ変換器
９    位相推定手段
１０  転流タイミング決定手段
１１  電流制限手段
１２  ドライブ回路
１３  制御装置
【図１】
2007306754.tif 000003
【図２】
2007306754.tif 000004
【図３】
2007306754.tif 000005
【図４】
2007306754.tif 000006
【図５】
2007306754.tif 000007
【図６】
2007306754.tif 000008
【図７】
2007306754.tif 000009
【図８】
2007306754.tif 000010
【図９】
2007306754.tif 000011
【図１０】
2007306754.tif 000012
【図１１】
2007306754.tif 000013
【図１２】
2007306754.tif 000014
【図１３】
2007306754.tif 000015
【図１４】
2007306754.tif 000016
【図１５】
2007306754.tif 000017
【図１６】
2007306754.tif 000018
【図１７】
2007306754.tif 000019
【図１８】
2007306754.tif 000020
【図１９】
2007306754.tif 000021